(57)【特許請求の範囲】
【請求項１】
ディスクプレーヤーのターンテーブルに載置されたディスクを保持するためのチャッキング装置であって、
磁石と、
前記ターンテーブルに対向して配置されて前記磁石を保持するものであり、保持された前記磁石の周囲に前記ターンテーブル側に突出して形成された複数の爪部を有し、前記複数の爪部の先端に、前記磁石のターンテーブル側の面に形成された複数の係止用凹部に係止するフック部を有する円板状のチャックディスクと、
前記チャックディスクを回転自在に保持するチャックアームと、
前記磁石の前記係止用凹部に前記複数の爪部のフック部が係止している際に、前記爪部が磁石から離れる方向に反るのを規制する反り止め手段と、を備えたディスクプレーヤーのチャッキング装置。
【請求項２】
前記反り止め手段は、前記磁石のターンテーブル側の面に形成され前記複数の爪部のフック部が係止可能な第１係止面を有する複数の前記係止用凹部と、前記フック部に形成され、前記第１係止面に係止する第２係止面とを有し、前記各係止面は、前記磁石の第１係止面とフック部の第２係止面とが係止した際に、前記爪部が前記磁石から離れる方向に反るのを規制するような形状である、請求項１に記載のディスクプレーヤーのチャッキング装置。
【請求項３】
前記第１係止面は磁石の外周側から内周側に向かってその深さが深くなるような傾斜面であり、前記フック部の第２係止面は、前記第１係止面の傾斜に沿って、外周側よりも内周側が前記ターンテーブルから離れるように傾斜している、請求項２に記載のディスクプレーヤーのチャッキング装置。
【請求項４】
前記フック部の第１係止面は前記爪部の基端部を中心とする円弧面である、請求項２又は３に記載のディスクプレーヤーのチャッキング装置。
【請求項５】
前記反り止め手段は、前記爪部の前記磁石と対向する側と逆側に突出して形成されたリブと、前記リブと前記チャックディスクとの間に配置され、前記爪部が前記磁石と離れる方向に反った際に前記リブと当接して前記爪部の反りを規制する反り止めプレートと、を有している、請求項１に記載のディスクプレーヤーのチャッキング装置。
【請求項６】
前記磁石とチャックディスクとの間に配置されたバックヨークをさらに備え、前記反り止めプレートは、前記バックヨークの外周部に径方向外方に突出して形成された規制用突出部である、請求項５に記載のディスクプレーヤーのチャッキング装置。
【請求項７】
前記バックヨークは、前記磁石とチャックディスクとの間に配置された状態で回転自在であり、前記規制用突出部の外周部からさらに径方向外方に突出して形成された回転用突起部をさらに有している、請求項６に記載のディスクプレーヤーのチャッキング装置。
【請求項８】
前記チャックディスクは、前記バックヨークの回転を禁止するためのロック部をさらに有している、請求項７に記載のディスクプレーヤーのチャッキング装置。
【発明の詳細な説明】
【０００１】
【発明の属する技術分野】
本発明は、チャッキング装置、特に、ディスクプレーヤーのターンテーブルに載置されたディスクを保持するためのディスクプレーヤーのチャッキング装置に関する。
【０００２】
【従来の技術】
ディスクプレーヤーのターンテーブルに載置されたディスクを保持するためのチャッキング装置として、特開平5-342729号公報や実開昭62-127705号公報等に示される技術が既
に提案されている。これらの公報に示されるように、この種のチャッキング装置は、ターンテーブルに係止可能なチャックディスクと、チャックディスクを回転自在に保持するチャックアームと、チャッキングのための磁石とを備えている。
【０００３】
また、前記公報に示された装置の他に、従来のチャッキング装置として、チャックディスク側に磁石が配置され、この磁石によってターンテーブルを吸引するように構成された装置がある。この種の装置では、磁石は、チャックディスクに設けられた複数の爪部により保持されている。爪部の先端部には、磁石の外径より僅かに内周側まで延びる抜け止め用の突起が形成されており、この突起によって磁石がチャックディスクから抜け落ちるのが防止されている。
【０００４】
【発明が解決しようとする課題】
前述のような爪部によってチャックディスクに磁石を保持している装置では、輸送中に振動、衝撃等が作用すると、爪部の突起に磁石が衝突する。すると、爪部は、その先端部が磁石から離れる方向に反るように、すなわち先端部が外方に反るように弾性変形する。このとき、磁石から受ける爪部への力が大きいと、爪部の弾性変形が大きくなり、磁石は、爪部の突起から外れて、チャックディスクから抜け落ちる場合がある。
【０００５】
本発明の目的は、磁石がチャックディスクから抜け落ちるのを抑えることにある。
【０００６】
【課題を解決するための手段】
請求項１に記載のチャッキング装置は、ディスクプレーヤーのターンテーブルに載置されたディスクを保持するためのチャッキング装置であって、磁石と、円板状のチャックディスクと、チャックアームと、反り止め手段とを備えている。チャックディスクは、ターンテーブルに対向して配置されて前記磁石を保持するものであり、保持された前記磁石の周囲にターンテーブル側に突出して形成された複数の爪部を有し、複数の爪部の先端に、磁石のターンテーブル側の面に形成された複数の係止用凹部に係止するフック部を有している。チャックアームはチャックディスクを回転自在に保持する。反り止め手段は、磁石の前記係止用凹部に前記複数の爪部のフック部が係止している際に、前記爪部が磁石から離れる方向に反るのを規制する。
【０００７】
この装置では、チャックディスクに保持された磁石がターンテーブル側に引き付けられ、ターンテーブルに載置されたディスクはチャックディスクとターンテーブルとの間に挟持されて確実に保持される。このとき、磁石は、チャックディスクに設けられた複数の爪部によって係止され、チャックディスク側に保持されている。
【０００８】
ここで、輸送中に振動、衝撃等が発生すると、磁石が爪部のフック部を押す。すると、爪部は外方に、すなわち磁石から離れる方向に弾性変形しようとする。しかし、爪部が磁石から離れる方向に反ろうとすると、反り止め手段によって爪部の反りが規制される。
【０００９】
ここでは、爪部のフック部に磁石から力が作用しても、爪部の反りが規制されるので、磁石の係止用凹部と爪部のフック部との係止が外れて磁石がチャックディスクから抜け落ちるのを抑えることができる。
【００１０】
請求項２に記載のチャッキング装置は、請求項１の装置において、反り止め手段は、磁石のターンテーブル側の面に形成され複数の爪部のフック部が係止可能な第１係止面を有する複数の係止用凹部と、フック部に形成され第１係止面に係止する第２係止面とを有している。そして、各係止面は、磁石の第１係止面とフック部の第２係止面とが係止した際に、爪部が磁石から離れる方向に反るのを規制するような形状である。
【００１１】
この装置では、爪部のフック部の第２係止面が、磁石の係止用凹部に形成された第１係止面に係止して磁石がチャックディスクに保持されている。このような状態で、磁石が振動等した場合、磁石の第１係止面とフック部の第２係止面とが圧接する。この係止面同士の圧接により、爪部の先端部が磁石から離れるのが規制される。
【００１２】
ここでは、磁石の係止用凹部の第１係止面とフック部の第２係止面とが圧接すると爪部の弾性変形が抑えられるので、磁石がフック部から抜け落ちるのを抑えることができる。請求項３に記載のチャッキング装置は、請求項２の装置において、前記第１係止面は磁石の外周側から内周側に向かってその深さが深くなるような傾斜面であり、前記フック部の第２係止面は、前記第１係止面の傾斜に沿って、外周側よりも内周側が前記ターンテーブルから離れるように傾斜している。
【００１３】
ここでは、磁石が爪部のフック部に衝突して両係止面が圧接すると、第１係止面と第２係止面とが互いにその傾斜に沿って案内されて、フック部は磁石の係止用凹部の内部深くに入り込む。これにより、磁石とフック部との係止状態はより強固になる。したがって、輸送中の衝撃等があっても磁石がチャックディスクから抜け落ちるのを抑えることができる。
【００１４】
請求項４に記載のチャッキング装置は、請求項２又は３の装置において、前記フック部の第１係止面は前記爪部の基端部を中心とする円弧面である。このため、磁石を、ターンテーブル側から爪部を弾性変形させながらチャックディスクに装着する際に爪部が弾性変形しても、フック部の第１係止面は弾性変形していない場合の円弧上を移動することになる。したがって、チャックディスクに装着された場合の磁石と爪部のフック部との間の隙間を少なくすることができる。詳細は後述する。
【００１５】
請求項５に記載のチャッキング装置は、請求項１の装置において、反り止め手段は、爪部の磁石と対向する側と逆側に突出して形成されたリブと、反り止めプレートとを有している。反り止めプレートは、リブとチャックディスクとの間に配置され、爪部が磁石と離れる方向に反った際にリブと当接して爪部の反りを規制する。
【００１６】
この装置では、爪部にリブが形成されており、爪部が弾性変形しようとすると、そのリブが反り止めプレートに当接し、爪部の反りを規制する。したがって、チャックディスクからの爪部の抜け落ちが抑えられる。
【００１７】
請求項６に記載のチャッキング装置は、請求項５の装置において、磁石とチャックディスクとの間に配置されたバックヨークをさらに備え、反り止めプレートは、バックヨークの外周部に径方向外方に突出して形成された規制用突出部である。
【００１８】
一般に、磁石の背面側には、磁力を強くするためにバックヨークが設けられる。したがって、このバックヨークを反り止めプレートとして使用することにより、簡単な構成で爪部の反りが規制できる。
【００１９】
請求項７に記載のチャッキング装置は、請求項６の装置において、バックヨークは、磁石とチャックディスクとの間に配置された状態で回転自在であり、規制用突出部の外周部からさらに径方向外方に突出して形成された回転用突起部をさらに有している。
【００２０】
ここでは、バックヨークが回転自在であるので、磁石をチャックディスクに装着する際に爪部を弾性変形させるのが容易になり、磁石装着時の作業性を損なうことなく磁石がチャックディスクから抜け落ちるのを防止できる。
【００２１】
すなわち、磁石をチャックディスクに装着する場合、磁石をターンテーブル側から装着する場合と、逆側から装着する場合とが考えられる。磁石をターンテーブル側から装着するタイプの装置では、爪部を弾性変形させながら磁石をチャックディスクに装着する必要がある。一方、一旦磁石がチャックディスクに装着された後は、磁石がチャックディスクから抜け落ちないように爪部の弾性変形を抑える必要がある。
【００２２】
そこで、磁石の装着時には、バックヨークを回転させて、規制用突出部が爪部のリブに当接しないように移動させる。この場合は、爪部が反ってもそのリブがバックヨークの規制用突出部に当接しないので、爪部の反りが規制されずに、容易に弾性変形する。したがって、磁石の装着が容易になる。
【００２３】
一方、磁石が一旦装着された後は、バックプレートを回転させて、規制用突出部がリブに当接するような位置関係に移動させる。この場合は、爪部が反ろうとすると、リブが規制用突出部に当接して反りが規制される。したがって、磁石の抜け落ちが抑えられる。
【００２４】
そして、この請求項７の装置では、バックプレートを回転させやすいように、回転用突起が形成されており、作業性が向上する。請求項８に記載のチャッキング装置は、請求項７の装置において、チャックディスクは、バックヨークの回転を禁止するためのロック部をさらに有している。
【００２５】
前述のように、バックヨークを回転自在として磁石の装着作業性を損なわずに抜け落ちを防止している場合は、磁石をチャックディスクに装着した状態で、バックヨークが容易に回転しないようにする必要がある。
【００２６】
そこでこの請求項８に記載の装置では、チャックディスクにロック部を設け、バックヨークの回転位置を維持するようにしている。
【００２７】
【発明の実施の形態】
［第１実施形態］
図１に本発明の第１実施形態が採用されたチャッキング装置１を示す。
【００２８】
チャッキング装置１は、ターンテーブル３に載置されるディスク５を保持するための装置であり、ディスクプレーヤー（図示せず）の内部に配置されている。ターンテーブル３はモータ７に一体回転可能に装着されている。また、ターンテーブル３の中央部に形成されたボスの上面には、吸着用の鉄板（図示せず）が固定されている。チャッキング装置１は、チャックディスク１１とチャックアーム１７とを備えている。
【００２９】
チャックディスク１１は、ディスク本体１２と、ディスク本体１２の内部に設けられた磁石１３及びバックヨーク１５とを有している。ディスク本体１２は、ターンテーブル３に対向して配置される円板状部材であり、円板部２１と、円板部２１の片面に一体に形成された係止部２３、爪部２５及び押圧部２７とからなる。
【００３０】
係止部２３は、チャックディスク１１をターンテーブル３に係止させるためのものであり、円板部２１の中心部からターンテーブル３側に突出して形成されている。
【００３１】
爪部２５は、磁石１３及びバックヨーク１５をチャックディスク１１の内部に保持するためのものであり、磁石１３の外周側に複数箇所（本実施形態では３箇所）に等間隔に配置されている。図３に拡大して示すように、爪部２５の先端には、内周側に突出するフック部２５ａが形成されている。このフック部２５ａは、後述する磁石１３の係止用凹部１３ａに係止可能である。また、フック部２５ａの第２係止面（円板部２１側の面）２５ｃは、爪部２５の基端部２５ｂを中心とした半径Ｒの円弧面となっており、外周側に比較して内周側（先端側）がより円板部２１に近づくような形状となっている。
【００３２】
押圧部２７は、爪部２５の外周側に環状に形成された部分であり、ディスク５の内周部を押圧してターンテーブル３との間でディスク５を狭持するためのものである。
【００３３】
磁石１３は、チャックディスク１１とターンテーブル３とを吸着するためのものであり、複数の爪部２５の内周側に配置されている。この磁石１３の中心部には、チャックディスク１１の係止部２３が貫通する孔が形成されている。また、磁石１３のターンテーブル３側の面には爪部２５のフック部２５ａが係止される複数の係止用凹部１３ａが形成されている。係止用凹部１３ａにはフック部２５ａの第２係止面２５ｃに対応する第１係止面１３ｂが形成されている。この第１係止面１３ｂは、フック部２５ａの第２係止面２５ｃと同様に、半径Ｒの円弧面となっている。
【００３４】
バックヨーク１５は、磁石１３の磁力を補助するための円板状の部材である。バックヨーク１５は、磁石１３と同様に、中心部にチャックディスク１１の係止部２３が貫通する孔が形成されており、磁石１３とチャックディスク１１の円板部２１との間に配置される。
【００３５】
チャックアーム１７は、チャックディスク１１を回転自在に保持するためのものである。このチャッキング装置１では、チャックディスク１１をターンテーブル３に係止すると、チャックディスク１１に保持された磁石１３によってチャックディスク１１とターンテーブル３とが吸着する。これにより、チャックディスク１１の押圧部２７とターンテーブル３との間にディスク５が確実に挟持される。このとき、磁石１３は、下方に力を受けるが、爪部２５のフック２５ａが係止用凹部１５ａに係止しているのでチャックディスク１１から抜け落ちることはない。
【００３６】
このようなチャッキング装置１において、バックヨーク１５及び磁石１３をチャックディスク１１に装着する場合は、爪部２５の先端側からこれらを押し込む。このとき、爪部２５はそのフック部２５ａが外方に弾性変形し、磁石１３がフック部２５ａを通過すれば、爪部２５は元の姿勢に戻る。
【００３７】
この場合の作用効果を図４により説明する。図４において、（ａ）に示した構成は、爪部２５’のフック部２５ａ’において、係止面２５ｃ’が爪部２５’の基端部を中心とした円弧面ではなく、平坦面で形成された場合を示している。一方、（ｂ）に示した構成は、本実施形態である。
【００３８】
これらの図から明らかなように、バックヨーク１５及び磁石１３をチャックディスク１１を爪部２５の先端側から押し込む際、図４（ａ）に示す構成では、爪部２５が外方に弾性変形した状態では、フック部２５ａの先端と、磁石１３の係止面１３ｂと磁石１３の下面との間の角部分とが干渉してしまう。このため、図示するように、磁石１３の下面がフック部２５ａ’に対し隙間を空けて上方に位置するよう磁石１３の厚みを薄く形成しなければならない。また、これにより、装着後の係止面２５ｃ’と係止面１３ｂとの接触面積が小さくなるため、爪部２５と磁石１３との係止状態を安定に保つことができない。
【００３９】
これに対し、図４（ｂ）に示す本実施形態の構成では、係止面２５ｃ及び係止面１３ｂが円弧形状であるため、爪部２５が外方に弾性変形した状態でもフック部２５ａの先端と、磁石１３の角部分とが干渉せず、図４（ａ）の構成のように磁石１３の厚みを薄く形成する必要がない。また、これにより、装着後の係止面２５ｃと係止面１３ｂとの接触面積を大きく確保することができ、爪部２５と磁石１３との係止状態を安定に保つことができる。
【００４０】
また、このチャッキング装置１を輸送する場合、輸送中の振動、衝撃等により、磁石１３の第２係止面１３ｂとフック部２５ａの第２係止面２５ｃとが圧接する。これらの係止面１３ｂ，２５ｃが互いに圧接すると、爪部２５のフック部２５ａは、その第２係止面２５ｃが磁石１３の第１係止面１３ｂに案内されて係止用凹部１３ａの内部に入り込む。このとき、第１係止面１３ｂ及び第２係止面２５ｃは円弧面となっているので、爪部２５のフック部２５ａは、滑らかに係止用凹部１３ａ内に深く入り込む。これにより、磁石１３とフック部２５ａとの係止状態はより強固になり、磁石１３がチャックディスク１１から抜け落ちるのを確実に抑えることができる。
【００４１】
［第２実施形態］
ここでは、第１実施形態との相違に注目して説明する。図５は、本発明の第２実施形態が採用されたチャッキング装置１の一部を分解した斜視図である。
【００４２】
爪部２５には、外周側（磁石１３とは逆側）への反りを防止するためのリブ２５ｄが形成されている。リブ２５ｄは、図５に示すように、外周側に延びて形成されている。また、リブ２５ｄは、下端が円板部２１の下面（磁石１３側の面）からバックヨーク１５の厚みだけ離れて形成されており、円板部２１との間にバックヨーク１５を配置可能となっている。なお、爪部２５のフック部２５ａは、本実施形態では、磁石１３の外周端より僅かに内周側まで平坦に延びて形成されている。
【００４３】
バックヨーク１５は基本的には円板状の部材であるが、外周部において爪部２５に対応する周方向位置には、外方に突出する規制用突出部１５ａが形成されている。この規制用突出部１５ａが、前述のように、爪部２５のリブ２５ｄと円板部２１との間に配置可能である。また、規制用突出部１５ａからさらに外方に突出して、把手部１５ｂが形成されている。この把手部１５ｂは、バックヨーク１５をチャックディスク１１に装着した後に、磁石１３を装着する際、及び磁石１３を装着した後に回転させるためのものである。
【００４４】
チャックディスク１１の円板部２１の片面側にはロック部２９が形成されている。ロック部２９は、バックヨーク１５の突出部１５ａがリブ２５ｄの下方に位置するように、バックヨーク１５を所定位置でチャックディスク１１に対し相対回転不能とするためのものである。ロック部２９は、図５に示すように、爪部２５のリブ２５ｄ側の端面からバックヨーク１５の突出部１５ａの周方向長さだけ離れた位置に形成されている。ロック部２９は軸方向に弾性変形可能に形成された弾性部２９ａを有しており、弾性部２９ａの先端部にはターンテーブル３側に突出する突起２９ｂが形成されている。
【００４５】
このチャッキング装置１において、磁石１３をチャックディスク１１に装着する場合は、まずバックヨーク１５をチャックディスク１１に装着する。このとき、バックヨーク１５は爪部２５の内周側に配置され、規制用突出部１５ａが爪部２５にかからない位置に移動させておく。ここでは、ロック部２９の突起２９ｂはバックヨーク１５の突出部１５ａにより押圧されているため、バックヨーク１５を回転させることが可能である。
【００４６】
この状態で、磁石１３を、爪部２５を外方に弾性変形させながらチャックディスク１１内に押し込む。このとき、爪部２５のリブ２５ｄと円板部２１との間にはバックヨーク１５の規制用突出部１５ａが存在しないので、爪部２５は比較的容易に弾性変形する。したがって、磁石１３を容易にチャックディスク１１に装着することが可能である。
【００４７】
そして、磁石１３をチャックディスク１１内に装着した後、把手部１５ｂを利用してバックヨーク１５を回転させ、規制用突出部１５ａをリブ２５ｄと円板部２１との間に位置させる。この状態では、ロック部２９の突起２９ｂと爪部２５とによってバックヨーク１５の回転が禁止されてロック状態となる。
【００４８】
このチャッキング装置１では、輸送中の振動、衝撃等により磁石１３がチャックディスク１１から抜け出そうとした場合、爪部２５が外方に弾性変形しようとする。しかし、爪部２５のリブ２５ｄがバックヨーク１５の規制用突出部１５ａに当接するため、爪部２５の外方への反りが規制される。このため、磁石１３は爪部２５の内周側を通過し得なくなり、磁石１３がチャックディスク１１から抜け落ちるのを確実に抑えることができる。
【００４９】
【発明の効果】
本発明によれば、磁石を保持するための爪部が反るのを規制するようにしているので、磁石がチャックディスクから抜け落ちるのを抑えることができる。
【図面の簡単な説明】
【図１】本発明の第１実施形態によるチャッキング装置を示す縦断面図。
【図２】第１実施形態によるチャッキング装置の一部分解斜視図。
【図３】第１実施形態によるチャッキング装置の要部を拡大した縦断面図。
【図４】第１実施形態の作用を説明するための図。
【図５】本発明の第２実施形態によるチャッキング装置の一部分解斜視図。
【符号の説明】
１  チャッキング装置
３  ターンテーブル
５  ディスク
１１  チャックディスク
１３  磁石
１３ａ  係止用凹部
１３ｂ  第１係止面
１５  バックヨーク
１５ａ  規制用突出部
１７  チャックアーム
２３  係止部
２５  爪部
２５ａ  フック部（爪部の係止部）
２５ｂ  爪部の基端部
２５ｃ  第２係止面
２５ｄ  リブ
【図１】
0003578334.tif 000002
【図２】
0003578334.tif 000003
【図３】
0003578334.tif 000004
【図４】
0003578334.tif 000005
【図５】
0003578334.tif 000006